(57)【要約】【課題】平均信号レベルの変化がコントラストに悪影響を防ぐことのできるプラズマディスプレイの駆動制御方法及び装置を提供すること。【解決手段】１フィールドに表示する映像信号レベルに基づいて、１フィールドの表示期間内に占める消去・リセット放電行程Ｒｃと維持発光放電工程Ｉｃを制御する。具体的には、映像信号レベルが高い場合には、１フィールドの表示期間内に占める消去・リセット放電行程Ｒｃを長くしたり、消去・リセットパルスＲＰａ、ＲＰｂのパルス幅Ｔを長くしたり、消去・リセットパルスＲＰａ、ＲＰｂのパルス電圧Ｖを低くしたり、維持発光放電工程Ｉｃを短くし、パルス数Ｎを少なく制御する。【選択図】　図１
2004093626.tif 000002
【特許請求の範囲】
【請求項１】
映像信号の１画像表示を複数のサブ画像表示で構成し、該サブ画像表示にはプラズマディスプレイパネル内部の壁電荷を消去、或は、略均一化する消去・リセット放電行程を有するプラズマディスプレイパネルの駆動制御方法において、
前記１画像表示に表示する映像信号に基づいて、該１画像表示の表示期間内に占める前記消去・リセット放電行程を制御することを特徴とするプラズマディスプレイパネルの駆動制御方法。
【請求項２】
前記消去・リセット放電行程の制御は、該消去・リセット放電行程の長さの制御であることを特徴とする請求項１に記載のプラズマディスプレイパネルの駆動制御方法。
【請求項３】
前記消去・リセット放電行程は、プラズマディスプレイパネルへ消去・リセットパルス電圧を印加する印加工程を含み、
前記消去・リセット放電行程の制御は、前記印加工程の長さの制御であることを特徴とする請求項１に記載のプラズマディスプレイパネルの駆動制御方法。
【請求項４】
前記消去・リセット放電行程は、プラズマディスプレイパネルへ消去・リセットパルス電圧を印加する印加工程を含み、
前記消去・リセット放電行程の制御は、前記消去・リセットパルス電圧の制御であることを特徴とする請求項１に記載のプラズマディスプレイパネルの駆動制御方法。
【請求項５】
映像信号の１画像表示を複数のサブ画像表示で構成し、該サブ画像表示にはプラズマディスプレイパネル内部の壁電荷を消去、或は、略均一化する消去・リセット放電行程を行うプラズマディスプレイパネルの駆動制御装置において、
前記第２の映像信号の平均信号レベルが第１の映像信号の平均信号レベリより高い場合に、
前記第２の映像信号に関する消去・リセット放電行程期間の長さを、前記第１の映像信号に関する消去・リセット放電行程期間の長さよりも長く制御することを特徴とするプラズマディスプレイパネルの駆動制御装置。
【請求項６】
映像信号の１画像表示を複数のサブ画像表示で構成し、該サブ画像表示にはプラズマディスプレイパネル内部の壁電荷を消去、或は、略均一化する消去・リセット放電行程を行うプラズマディスプレイパネルの駆動制御装置において、
前記第２の映像信号の平均信号レベルが第１の映像信号の平均信号レベリより高い場合に、
前記第２の映像信号に関する消去・リセット放電行程期間にプラズマディスプレイパネルに印加する消去・リセットパルスの電圧値を、前記第１の映像信号に関する消去・リセット放電行程期間にプラズマディスプレイパネルに印加する消去・リセットパルスの電圧値よりも低く制御することを特徴とするプラズマディスプレイパネルの駆動制御装置。
【請求項７】
映像信号の１画像表示を複数のサブ画像表示で構成し、該サブ画像表示にはプラズマディスプレイパネル内部の壁電荷を消去、或は、略均一化する消去・リセット放電行程と前記画像信号の画素データに対応した発光回数だけ発光放電を行う維持発光放電行程とを行うプラズマディスプレイパネルの駆動制御装置において、
前記映像信号の平均信号を検出する平均信号検出部と、
前記平均信号に基づいて、前記１画像表示の画像表示期間内に占める前記消去・リセット放電行程と維持発光放電行程の長さを変更する制御部と、を有するプラズマディスプレイパネルの駆動制御装置。
【発明の詳細な説明】
【０００１】
【発明の属する技術分野】
本発明は、プラズマディスプレイパネルの駆動制御に関する。
【０００２】
【従来の技術】
従来、ガス放電を用いたディスプレイパネルとして所謂プラズマディスプレイパネル（以下、「ＰＤＰ」と略記する場合がある）が知られており、ＡＣ（交流）型ＰＤＰの構造、制御方法を図１０から図１３を用いて説明する。
【０００３】
図１０はＡＣ型ＰＤＰの一部の斜視図を、図１１はＡＣ型ＰＤＰのマトリックス配置された電極の説明図である。
【０００４】
図１０に示すＡＣ型ＰＤＰは、前面ガラス基板２１に放電維持電極Ｘｉと走査・放電維持電極Ｙｉのペアで形成された直線状の表示電極２３と、背面ガラス基板２５に形成された直線状のアドレス電極２７の２種類の電極を有し、該表示電極２３とアドレス電極２７が対向し、且つ直交するように２枚のガラス板２１、２５を配置し、マトリクス状となる両電極２３、２７の各交点が表示ドット３９（図１１）を形成している。
【０００５】
前記表示電極２３は、蒸着したＩＴＯ（Ｉｎｄｉｕｍ　Ｔｉｎ　Ｏｘｉｄｅ）などの透明導電膜をストライプ状にエッチングして形成されている。
【０００６】
各ペアの表示電極２３は、前記したように放電維持電極Ｘｉと走査・放電維持電極Ｙｉで構成され（１≦ｉ≦ｎ）、表示画面全体にｎペアの表示電極２３が形成されている。また、前記表示電極２３の上にコンデンサとして機能する誘電体層２９ａが形成され、さらにその上にＭｇＯからなる保護膜３１が蒸着等により形成されている。
【０００７】
一方、隣り合うアドレス電極２７間には、厚膜印刷によってストライプ状の隔壁３３を設け、各表示ドットを分離独立させている。また、蛍光体３５はアドレス電極２７上に形成された誘電体層２９ｂの上と隔壁３３の側面に塗布されており、隔壁３３と前面ガラス基板２１とで囲まれた放電空間３７の内側にはＸｅを含む不活性ガスの混合ガスが封入されている。
【０００８】
表示は、表示電極２３である放電維持電極Ｘｉと走査・放電維持電極Ｙｉ間にＡＣ電圧を印加することによって行い、表示する表示ドット３９の選択は任意のアドレス電極２７と表示電極２３との間に電圧を印加し、これらの電極２３−２７の交点に発生する放電により行う。その際、Ｘｅの放電により発生する真空紫外線の中で、主に波長１４７（ｎｍ）の励起光により蛍光体を発光させている。
【０００９】
図１２、図１３は、上記従来のプラズマディスプレイの１フィールド表示期間での駆動フォーマットを示す図である。図１２は各電極へのパルス印加電圧のタイミングチャートを示しており、図１３は図１２の１フィールド期間の概略模式図を示している。
【００１０】
従来、プラズマディスプレイでの多階調の画像表示を行うために、１フィールド期間を複数サブフィールドに分けて表示している。例えば、図１３には１６（＝２４）階調を実現する場合を示しており、１フィールド期間はサブフィールドＳＦ１〜ＳＦ４の４つのサブフィールドに分割され、各サブフィールドでは、其々、消去・リセット行程Ｒｃ、アドレス行程（書込工程）Ｗｃ、及び維持発光行程Ｉｃを係る順序で連続して実行する。
【００１１】
図１２は、前記各行程（Ｒｃ、Ｗｃ、Ｉｃ）を実施する際に、ＰＤＰのアドレス電極２７、放電維持電極Ｘｉ、及び走査・放電維持電極Ｙｉに印加する各種駆動パルス電圧の印加タイミングを示している。図１２では、上段からアドレス電極２７に印加するアドレスパルス、全放電維持電極Ｘ１〜Ｘｎに共通に印加するパルス、及び各走査・放電維持電極Ｙｉ毎に印加するパルス（図１３では便宜上電極Ｙ１〜Ｙ３を表示）を、横軸を時間軸ｔとして示している。
【００１２】
前記消去・リセット行程Ｒｃは、画像表示にあたり、以前の画像に起因して各表示ドット（放電セル、画素）３９の壁電荷の量が異なるため、予め新しい画像を表示する前に全表示ドット（放電セル）３９の壁電荷の条件（例えば、電荷量）を均一化する工程であり、一般的には、各電極Ｘｉ、電極Ｙｉに残っている壁電荷を消去（リセット）するために、例えば、図１２に示すように電極Ｘｉと電極Ｙｉに互いに逆極性の消去・リセットパルスＲＰａ、ＲＰｂを印加する。
【００１３】
前記アドレス行程（書込工程）Ｗｃは、前記消去・リセット行程Ｒｃに続いて、点灯させる表示ドット（放電セル、画素）３９に対して後の維持放電が可能な程度に壁電荷をアドレス放電により蓄積させるための工程（表示するドットを選択、書き込する工程）であり、例えば電極Ｙ１から電極Ｙｎまで線順次に所定の負の走査パルスＳＰを印加しつつ、各電極Ｙｉの走査パルスＳＰにタイミングを合わせて、点灯させる表示ドット３９に相当するアドレス電極２７に正のアドレスパルスＡＰを印加することで、選択画素の電極Ｙとアドレス電極２７間でアドレス放電を発生させる（データの書き込み）。係るアドレス放電は非常に短い時間で終了するＡＣ放電である。
【００１４】
前記維持発光放電工程Ｉｃは、前記アドレス行程Ｗｃの放電により壁電圧が誘起されており、全電極Ｘｉ，Ｙｉに図１２に示すように交互に正の維持発光放電パルスＰＰを印加することで壁電荷に維持発光放電パルスＰＰを上乗せして放電を維持させ、発光量を制御する期間である。係る維持発光放電期間Ｉｃが終了すると次のサブフィールドのリセット行程Ｒｃに移行する。
【００１５】
１フィールドの画像を表示するにあたり、上記行程Ｒｃ、Ｗｃ、及びＩｃを画素データに応じて各サブフィールドＳＦ１〜ＳＦ４で繰り返すこととなる。
【００１６】
ところで、１フィールドを構成する映像信号の平均信号レベルに応じて輝度を制御するいわゆるＡＢＬ（ａｕｔｏ　ｂｒｉｇｈｔｎｅｓｓ　ｌｅｖｅｌ）制御を行う場合には、該平均信号レベルに応じて前記各サブフィールド毎の発光回数比、発光回数を変えることにより消費電力に制限を加えている。その際、各サブフィールドの維持発光放電回数の設定は、あらかじめＲＡＭ等に記憶させたテーブルデータを平均信号レベルに応じて制御回路に読み込むことにより行なっていた。具体的には、平均信号レベルに応じて発光のための維持発光放電期間Ｉｃの放電回数を制御し、平均信号レベルが高い場合には、維持発光放電工程Ｉｃの総放電パルス数を減らす制御を行うことで消費電力を低く維持していた。
【００１７】
【発明が解決しようとする課題】
上記の平均信号レベルが高い場合に維持発光放電工程（期間）Ｉｃの総放電パルス数を減らす従来の制御方式では、総放電回数減少により最大輝度は低下することとなる。すなわち、前記制御方式のプラズマディスプレイの場合、平信信号レベルが低い場合の最大輝度は４００（ｃｄ／ｍ２）程度であり、平信信号レベルが大きい場合には、総放電回数を減らすため最大輝度も低下し、１００（ｃｄ／ｍ２）程度となる。
【００１８】
しかしながら、全表示ドット１７の壁電荷を略消去（リセット）する消去・リセット行程Ｒｃ後の壁電荷の状態は、平均信号レベルにより制御されておらず常に一定であるため、そのため黒表示時の輝度は、平均信号レベルによらず一定で、１（ｃｄ／ｍ２）程度となり、平均信号レベルが低い場合のコントラストは４００：１、平均信号レベルが高い場合のコントラストは１００：１となり、平均信号レベルの増大により大きくコントラストが低下するという問題があった。
【００１９】
本発明は、前記の問題点を解消するためになされたものであって、平均信号レベルの変化がコントラストに悪影響を与えないプラズマディスプレイの制御方法及び制御装置を提供することを目的とする。
【００２０】
【課題を解決するための手段】
本発明の要旨では、映像信号の１フィールド等の１画像表示を、多諧調表示を行うために複数のサブ画像表示（サブフィールド）で構成し、サブ画像表示には消去・リセット放電行程と維持発光放電行程とを行うプラズマディスプレイパネルの駆動制御において、１画像表示に表示する映像信号（映像信号レベル）に基づいて、１画像表示の表示期間内に占める前記消去・リセット放電行程を制御する。
【００２１】
具体的には、消去・リセット放電行程や維持発光放電行程の長さや、消去・リセットパルス電圧を印加時間や、消去・リセットパルス電圧を制御する。
【００２２】
例えば、１画像表示に表示する映像信号の平均信号レベルが高い場合には、低い場合に較べて、消去・リセット放電行程を長くし、維持発光放電行程を短くし、消去・リセットパルス電圧を印加時間を長くし、消去・リセットパルス電圧を低くする。
【００２３】
本発明の要旨によれば、黒輝度レベルは消去・リセット放電行程の消去・リセットパルス電圧値によって変化するため、平均信号レベルに基づいて消去・リセットパルス電圧値を制御することでコントラスト変化を抑制することが可能となる。
【００２４】
すなわち、平均信号レベルが大きくなり、消費電力を低く維持するために維持発光放電期間Ｉｃの総放電パルス数を減らす制御を行うことで、最大輝度が低下する表示状態において、黒輝度を低下せしめる上記制御を行うことにより、コントラスト低下を抑制することが可能となる。
【００２５】
尚、消去・リセットパルス電圧値の制御により、消去・リセットパルス電圧の印加時間も変化するため、逆に印加時間（消去・リセット放電行程）を制御することで上記同様の作用効果が得られる。また、消去・リセット放電行程が変化することは維持発光放電行程の長さも変化するため、逆に係る長さを制御することで同様の作用効果が得られる。
【００２６】
【発明の実施の形態】
以下、図面を参照して本発明の実施形態を詳細に説明する。尚、プラズマディスプレイパネル自体の構造は前記したものと同様であるため説明を省略する共に、前記構成と同一部分には同一符号を付して説明を省略する。
【００２７】
本実施形態では、所定画像表示範囲（１フィールド等）の画素データの平均信号レベルに基づいて維持発光放電行程Ｉｃ、及び消去・リセット行程Ｒｃを制御することで、黒輝度レベルを平均信号レベルにより制御し、コントラスト変化を抑制し、めりはりのある画像表示を可能とするものである。
【００２８】
図１は、各電極へのパルス印加電圧のタイミングチャートを示しており、図２は、図１の１フィールド期間の概略模式図を示している。本実施形態では、図１３に示す従来技術との比較を容易とするために、１フィールド期間をサブフィールドＳＦ１〜ＳＦ４からなる４つのサブフィールドに分割し、各サブフィールドでは、消去・リセット行程Ｒｃ、アドレス行程Ｗｃ、維持発光行程Ｉｃを夫々実行する場合について説明する。尚、サブフィールドの数は限定するものではなく、２０サブフィールド程度まで増やす場合もある。
【００２９】
本実施形態においては、平均信号レベルに基づいて、各サブフィールドでの維持発光行程Ｉｃの長さ（期間）と放電維持パルスＰＰのパルス数、及び消去・リセット行程Ｒｃにおける放電維持電極Ｘｉ、走査・放電維持電極Ｙｉの消去・リセットパルスＲＰａ、ＲＰｂのパルス幅Ｔ（図１）と該電極Ｘｉの消去・リセットパルスＲＰａのパルス電圧Ｖ（図１）を制御するものである。
【００３０】
（黒輝度制御）
始めに、消去・リセット行程Ｒｃにおけるリセット放電行程制御による黒輝度レベル制御を説明する。
図３は、消去・リセット行程Ｒｃにおける消去・リセットパルス幅（印加時間）と消去・リセット放電電圧の関係を示している。横軸の幅Ｔは、図１の前記電極Ｘｉ，Ｙｉの消去・リセットパルスＲＰａ、ＲＰｂのパルス幅Ｔを示しており、縦軸の電圧Ｖは、消去・リセット放電開始電圧Ｖを示し、図１の電極Ｘ１〜Ｘｎに印加する消去・リセットパルスＲＰａのパルス電圧Ｖとなる。
【００３１】
図３に示すように、消去・リセットパルスＲＰａ、ＲＰｂのパルス幅Ｔが長くなるに従い、消去・リセット放電を発生させるための消去・リセット放電開始電圧Ｖは低くなる。これは、放電現象が統計的確率に基づく現象であるためであり、高い電圧を印加すると、短いパルス幅であっても十分な放電確率を得られ、低い電圧の場合には、放電確率が低くなるため、短いパルス幅では十分な確率を得ることができないが、消去・リセット放電パルス幅Ｔを長くすることで放電確率の時間積分として十分大きな値となるため、十分な消去・リセット放電を発生させることが可能となる。
【００３２】
図４は、消去・リセットパルスＲＰａ、ＲＰｂのパルス幅Ｔと黒輝度ＢＮの関係を示している。一般的にプラズマディスプレイにおいては、各サブフィールドＳＦ１〜ＳＦ４で所定の消去・リセット放電を実施するため、黒輝度ＢＮは有限な値となり、１（ｃｄ／ｍ２）程度となる。一方、図４のように、消去・リセットパルスＲＰａ、ＲＰｂのパルス幅Ｔが長くなるとそれに従って、黒輝度ＢＮが低下する。これは、図３に示した消去・リセット放電開始電圧Ｖの低下による発光量低下によるものである。実験によれば、前記パルス幅Ｔを長くすることにより従来比約半分の０．５（ｃｄ／ｍ２）程度まで黒輝度ＢＮを低下させることが可能であることが得られた。
【００３３】
そこで、本実施形態では消去・リセット行程Ｒｃにおける電極Ｘ１〜Ｘｎと電極Ｙ１〜Ｙｎに印加する消去・リセットパルスＲＰａ、ＲＰｂのパルス幅Ｔを長くすることで、例えば黒輝度ＢＮを従来比約半分の０．５（ｃｄ／ｍ２）程度とし、ピーク輝度が一定である場合にコントラストを従来比２倍とすることを実現できた。例えば、平均信号レベルが低い場合には、ピーク輝度は従来同様４００（ｃｄ／ｍ２）、黒輝度レベルは１（ｃｄ／ｍ２）となり、平均信号レベルが高い場合には、ピーク輝度は従来同様１００（ｃｄ／ｍ２）、黒輝度レベルは０．５（ｃｄ／ｍ２）となる。すなわち、平均信号レベルが低い場合のコントラストは、４００：１、平均信号レベルが高い場合のコントラストは、２００：１となり平均信号レベルが高い場合であってもめりはりのある画像を表示することが可能となる。
【００３４】
（維持発光放電行程制御）
次に、平均信号レベルに基づく維持発光放電行程Ｉｃの制御を説明する。
図５は、縦軸を維持発光放電回数（維持発光放電パルスＰＰのパルス数）Ｎとし、横軸を表示階調Ｍとし、平均信号レベルが異なる場合の維持発光放電回数Ｎと表示階調Ｍの関係を示している。
【００３５】
本実施形態では、図５に示すように平均信号レベルが低い場合（符号Ｌ）には、維持発光放電パルスＰＰのパルス数Ｎを多くし、平均信号レベルが高い場合（符号Ｈ）には維持発光放電パルスＰＰのパルス数Ｎを少なく制御する。
【００３６】
図６は、平均信号レベルを大中小の３段階レベルに分け、各段階レベル毎に、１フィールド期間内におけるサブフィールド毎の維持発光放電パルスＰＰのパル数の配分例を示している。本実施形態では、図６のように、平均信号レベルに応じてサブフィールド内の維持放電パルス数を変える。ただし、平均信号レベルが変わっても１フィールド期間内における各サブフィールド内の維持放電パルス数の比は変えない。これは、平均信号レベルが変わっても表示上のγ特性（イオン衝突による二次電子放出係数）を変えないためである。
【００３７】
尚、図６には２つの閾値を用いて平均信号レベルを３段階のレベルに分けた場合を示したが、そのレベル分けの数（閾値の数）は処理効率等を考慮し、適宜選択できる。
【００３８】
図７は、図６の関係を図示したものであり、平均信号レベルが小、中、大の順に（ａ）、（ｂ）、（ｃ）として示しており、１フィールド期間内におけるサブフィールド内の各行程の時間分割の様子を示している。本実施形態においては、平均信号レベルに応じて１フィールド内の各サブフィールドの各維持発光放電行程Ｉｃの長さを変更するように制御する。係る制御による各維持発光放電行程Ｉｃの長さは、図６に示した維持発光放電パルスが該行程Ｉｃ内におさまる様に制御する。すなわち、平均信号レベルに応じてサブフィールド内の維持発光放電パルスＰＰのパルス数Ｎを変えるとともに、維持発光放電行程Ｉｃの長さを変えるように制御する。
【００３９】
（消去・リセット行程制御）
さらに、本実施形態では、平均信号レベルが高い場合には維持発光放電行程Ｉｃの１フィールド内での総行程期間が短くなることを利用し、消去・リセット行程Ｒｃの期間が長くなるように制御する。図７では、（ａ）、（ｂ）、（ｃ）に従って消去・リセット工程Ｒｃの期間を長くし、維持発光放電行程Ｉｃの期間を短くしている。
【００４０】
また、消去・リセット工程Ｒｃの期間の長さを制御するのに伴い、消去・リセットパルスＲＰａ、ＲＰｂのパルス幅Ｔや電圧Ｖも制御し、平均信号レベルが高い場合には、消去・リセットパルスＲＰａ、ＲＰｂの幅Ｔを長くし、かつ、放電電圧Ｖを低くするよう制御する。
【００４１】
以上説明したように、１フィールド内の平均信号レベルにより消去・リセット行程Ｒｃ及び／又は維持発光放電行程Ｉｃとを上記制御方法で制御することで、黒輝度レベルを平均信号レベルにより制御でき、コントラスト変化を抑制することができる。
【００４２】
図９は、比較のために従来のプラズマディスプレイの駆動制御方法を示しており、平均信号レベルが小、中、大に相違する場合によるサブフィールド内の各行程Ｒｃ、Ｗｃ、Ｉｃの時間分割の様子を示している。
【００４３】
従来のプラズマディスプレイの駆動方法においては、平均信号レベルに応じて１フィールド内の各サブフィールドの各維持発光放電行程Ｉｃの長さは変えていない。図６に示した維持発光放電パルスＰＰを各行程に割り振るのみである。すなわち、維持発光放電行程Ｉｃの期間（長さ）は同じで、維持発光放電行程Ｉｃの維持発光放電パルスＰＰの密度が変わるように設定されていた。さらに、消去・リセット行程Ｒｃの期間及び消去・リセットパルスＲＰａ、ＲＰｂの幅Ｔと電圧Ｖも平均信号レベルに応じて変えず、一定としていた。そのため、黒輝度レベルは、常に一定であった。
【００４４】
（制御装置）
本実施形態に係るプラズマディスプレイの駆動制御装置のブロックを図９に示す。前記駆動制御装置は、平均信号レベル検出部３と、維持放電制御部５と、Ｘ，Ｙ電極ドライバー７と、アドレス信号制御部９と、及びアドレスドライバー１１とを備えている。
【００４５】
平均信号レベル検出部３は、映像信号１を入力し、所定画像表示範囲、例えば１フィールド等の画素データの平均信号レベル３ａを検出する。前記平均信号レベル３ａとは、前記所定領域の画素データの信号レベルの平均を意味する。
【００４６】
前記維持放電制御部５は、前記平均信号レベル３ａに基づいて、各サブフィールドＳＦ１〜ＳＦ４の維持発光放電工程Ｉｃにおける期間、維持発光放電パルスＰＰのパルス数Ｎ、該パルス印加タイミングを決定すると共に、消去・リセット放電行程Ｒｃにおける期間、消去・リセットパルスＲＰａ、ＲＰｂのパルス幅Ｔや電圧Ｖ、該パルス印加タイミングを決定し、該決定内容データ５ａを前記電極Ｘｉ，Ｙｉ（表示電極２３）を制御するＸ、Ｙ電極ドライバー７に送り、Ｘ、Ｙ電極ドライバー７は、該決定内容データ５ａに基づいて電極Ｘｉ，Ｙｉを制御する。
【００４７】
前記決定内容データ５ａの決定方法は、平均信号レベル３ａが低い場合には、１フィールド内での維持発光放電工程Ｉｃの期間割合を長くし、パルス数Ｎを多くし、平均信号レベルが高い場合には１フィールド内での維持発光放電工程Ｉｃの期間割合を短くし、パルス数Ｎを少なく制御する。また、平均信号レベル３ａが高い場合には、１フィールド内での維持発光放電工程Ｉｃの期間割合が短くなることを利用し、消去・リセット行程Ｒｃの期間割合を長くなるように制御する。また、平均信号レベルが高い場合には、消去・リセットパルスＲＰａ、ＲＰｂの幅Ｔを長くし、かつ、放電電圧Ｖを低くするように制御する。
【００４８】
前記アドレスドライバー９は、映像信号１から各フィールド毎の画素データに応じた表示信号データ（アドレスデータ）を作成し、さらに、前記平均信号レベル３ａに応じてアドレス工程Ｗｃの開始タイミングも変化するため、アドレスパルスＡＰのタイミング調整制御を行い、タイミング調整制御信号９ａをアドレスドライバー１１に出力する。アドレスドライバー１１は、タイミング調整制御信号９ａに基づいてアドレス電極２７を制御する。
【００４９】
上記構成により、黒輝度レベルを平均信号レベルにより制御し、コントラスト変化を抑制し、めりはりのある画像表示が可能となった。
【００５０】
（他の実施形態）
なお、前記の実施形態では本発明の好適例を説明したが、本発明はこれに限定されないことはもちろんである。
例えば、図１の本実施形態においては、パルス幅Ｔの消去・リセット放電電圧Ｖの制御はＸ電極の駆動パルス１１のみで行われ、Ｙ電極駆動パルス１２はパルス幅Ｔの制御のみを実施する例を図示しているが、本発明はこれに限定するものではなく、適宜、Ｘ、Ｙ電極に印加する消去・リセットパルス共に電圧Ｖを制御することができる。
【００５１】
また、平均信号レベルを求める画像表示範囲は、前記実施の形態では１フィールドで説明したが、例えば１フレーム、複数フィールド、複数フレーム、及びそれらの近似領域等から求めることもできる。
【００５２】
また、前記したように本実施形態では平均信号レベルを大中小の３段階分けて、係るレベルに対応して維持発光放電工程Ｉｃと消去・リセット行程Ｒｃの上記パラメータを変更したが、平均信号レベルを何段階に分けても良く、処理効率等を考慮し、適宜選択できる。
【００５３】
【発明の効果】
以上説明した通り、本発明の要旨によれば、プラズマディスプレイに入力する信号の平均信号レベルが大きくなっても表示コントラスト低下が抑制することが可能となる。そのため、あらゆる表示信号において高いコントラストでめりはりのある表示状態を維持することが可能となる。
【図面の簡単な説明】
【図１】本発明の実施形態に係る各電極の駆動パルス波形を示す説明図である。
【図２】本発明の実施形態に係るサブフィールドの説明図である。
【図３】本発明の実施形態に係る黒輝度制御方法の説明図である。
【図４】本発明の実施形態に係る黒輝度制御方法の説明図である。
【図５】本発明の実施形態に係る表示階調Ｍと維持発光放電パルスＮの関係を示す説明図である。
【図６】本発明の実施形態に係る平均信号レベルが変化した場合の各サブフィールド内の維持発光放電パルスの割り振りを示す説明図である。
【図７】本発明の実施形態に係る平均信号レベルが変化した場合のサブフィールド内の消去・リセット行程Ｒｃ、アドレス行程Ｗｃ、及び維持発光行程Ｉｃの変化を示す説明図である。
【図８】従来の平均信号レベルが変化した場合のサブフィールド内の消去・リセット行程Ｒｃ、アドレス行程Ｗｃ、及び維持発光行程Ｉｃの変化を示す説明図である。
【図９】本発明の実施形態に係るプラズマディスプレイパネルの駆動制御装置の概略ブロック図である。
【図１０】従来のＡＣ型ＰＤＰを示す斜視図である。
【図１１】従来のＡＣ型ＰＤＰの画素を示す説明図である。
【図１２】従来の各電極の駆動パルス波形を示す説明図である。
【図１３】従来のサブフィールドの説明図である。
【符号の説明】
ＳＦ１〜ＳＦ４　サブフィールド
Ｒｃ　消去・リセット行程
Ｗｃ　アドレス行程
Ｉｃ　維持発光放電期間
Ｘｉ　放電維持電極
Ｙｉ　走査・放電維持電極
ＲＰａ、ＲＰｂ　消去・リセットパルス
ＰＰ　維持発光放電パルス
Ｔ　パルス幅
Ｖ　消去・リセット放電開始電圧
ＢＮ　黒輝度
Ｍ　表示階調
Ｎ　維持発光放電回数
【図１】
2004093626.tif 000003
【図２】
2004093626.tif 000004
【図３】
2004093626.tif 000005
【図４】
2004093626.tif 000006
【図５】
2004093626.tif 000007
【図６】
2004093626.tif 000008
【図７】
2004093626.tif 000009
【図８】
2004093626.tif 000010
【図９】
2004093626.tif 000011
【図１０】
2004093626.tif 000012
【図１１】
2004093626.tif 000013
【図１２】
2004093626.tif 000014
【図１３】
2004093626.tif 000015